(57)【要約】【課題】複数の映像を時分割表示することにより複数の視聴者が同時視聴可能な映像表示システムにおいて、各視聴者が自分の視聴している映像に関するコマンドをリモコンにより容易に入力できるようにする。【解決手段】複数の映像を時分割表示する表示装置と、複数の映像の時分割表示に同期して開閉するシャッター装置と、各映像に関するコマンドを入力可能な複数の動作モードに切り替え可能であって、各映像に対応する複数のボタンを有するリモコン装置と、を有する映像表示システムであって、表示装置は、複数のボタンを識別するための複数の標識を複数の映像の時分割表示と同期して時分割表示する表示部を備え、複数のボタンのいずれかが操作された場合に、該ボタンを識別するための標識の表示に同期している映像に関するコマンドを入力可能な動作モードにリモコン装置が切り替わる。【選択図】図１
2011151458.tif 000002
【特許請求の範囲】
【請求項１】
Ｎ個（Ｎは２以上の整数）の映像を時分割表示する表示装置と、
前記映像の各々に対応するＮ種類のシャッター装置であって、対応する映像が前記表示装置に表示されている期間のみ光を透過する開状態となり、それ以外の期間は光を遮断する閉状態となるシャッター装置と、
前記表示装置に所定のコマンドを入力可能なリモコン装置と、
を有し、複数の観察者がそれぞれ前記各シャッター装置を介して前記表示装置に表示される映像を観察することにより該シャッター装置に対応する映像を各観察者が同時に観察することができる映像表示システムであって、
前記リモコン装置は、
前記映像の各々に対応するＮ個の動作モードに切り替え可能であり、ｎ番目（ｎは１、２、・・・Ｎ）の動作モードではｎ番目の映像に関するコマンドを入力可能であり、
前記動作モードの各々に対応するＮ個の標識により識別可能なＮ個のボタンを有し、ｎ番目の標識により識別されるボタンを操作することにより前記リモコン装置をｎ番目の動作モードに切り替え可能であり、
前記表示装置は、
前記Ｎ個の標識に対応するＮ個の標識を表示する表示部を有し、
前記表示部は、ｎ番目の映像が前記表示装置に表示されている期間に、ｎ番目の標識のみを表示することにより、前記表示装置におけるＮ個の映像の時分割表示に同期して前記Ｎ個の標識を時分割表示することを特徴とする映像表示システム。
【請求項２】
前記Ｎ個の標識はＮ種類の色であり、
前記表示部は、前記Ｎ種類の色の各色と同じ色で発光するＮ個の発光部を有し、ｎ番目の映像が前記表示装置に表示されている期間に、前記発光部のうちｎ番目の色と同じ色で発光する発光部のみを発光させることを特徴とする請求項１に記載の映像表示システム。
【請求項３】
前記Ｎ個の標識はＮ種類の色であり、
前記表示部は、前記Ｎ種類の色の各色と同じ色の画像又は同じ色を表す文字、記号若しくは図形を前記表示装置に表示される映像に合成する画像処理部を有し、ｎ番目の映像が前記表示装置に表示されている期間に、ｎ番目の色と同じ色の画像又は同じ色を表す文字、記号若しくは図形をｎ番目の映像のみに合成させることを特徴とする請求項１に記載の映像表示システム。
【請求項４】
Ｎ個（Ｎは２以上の整数）の映像を時分割表示する表示装置であって、前記映像の各々に対応するＮ個の標識を表示する表示部を有する表示装置と、
前記映像の各々に対応するＮ種類のシャッター装置であって、対応する映像が前記表示装置に表示されている期間のみ光を透過する開状態となり、それ以外の期間は光を遮断する閉状態となるシャッター装置と、
前記映像の各々に対応するＮ個の動作モードに切り替え可能であり、ｎ番目（ｎは１、２、・・・Ｎ）の動作モードではｎ番目の映像に関するコマンドを入力可能なリモコン装置であって、前記Ｎ個の標識に対応するＮ個の標識により識別可能なＮ個のボタンを有するリモコン装置と、
を有し、複数の観察者がそれぞれ前記各シャッター装置を介して前記表示装置に表示される映像を観察することにより該シャッター装置に対応する映像を各観察者が同時に観察することができる映像表示システムの制御方法であって、
前記表示部に、ｎ番目の映像が前記表示装置に表示されている期間に、ｎ番目の標識のみを表示させることにより、前記表示装置におけるＮ個の映像の時分割表示に同期して前記Ｎ個の標識を時分割表示させるステップと、
前記Ｎ個のボタンのいずれかのボタンが操作された場合に、該ボタンを識別する標識に
対応する映像に関するコマンドを入力可能な動作モードに前記リモコン装置を切り替えるステップと、
を有することを特徴とする映像表示システムの制御方法。
【発明の詳細な説明】
【技術分野】
【０００１】
本発明は、映像表示システム及びその制御方法に関する。
【背景技術】
【０００２】
従来、１つのディスプレイで異なる複数の映像を複数人が同時に視聴することを可能にする技術が提案されている。例えば特許文献１には、複数の異なる映像を時分割して表示するディスプレイと、光の透過及び遮断を制御するシャッターを備えたメガネとを有するシステムが記載されている。このメガネは、ディスプレイに時分割表示される複数の映像のうち、ある１つの映像が表示されている期間は光が透過するようにシャッターを制御し、それ以外の映像がディスプレイに表示されている期間は光が遮断するようにシャッターを制御する。各映像の時分割表示の周期にシャッターの透過及び遮断の切り替え周期を同期させた複数のメガネを用意する。各視聴者は、各映像に同期させたメガネを装着することにより、対応する映像を同時に視聴することが可能となる。また、特許文献２には、映像を視聴する方向によって異なる映像が見えるデュアルビューディスプレイを用いて、１つのディスプレイで複数の映像を視聴可能にする技術が提案されている。
【先行技術文献】
【特許文献】
【０００３】
【特許文献１】特開平8-327962号公報
【特許文献２】特開2008-026461号公報
【発明の概要】
【発明が解決しようとする課題】
【０００４】
このように１つのディスプレイで異なる複数の映像を複数人で同時に視聴する場合、各視聴者が自分の視聴している映像に関してのみ画質調整やチャンネル切り替え等のコマンド入力を行えることが望ましい。そのためには、同時視聴可能な映像の数に応じた複数のリモコンを用意し、各視聴者は複数のリモコンの中から自分の操作すべきリモコンを識別してから操作を行う必要があるため、手間がかかるという問題があった。
特許文献２には、デュアルビューディスプレイにおけるリモコンの操作方法に関する技術が開示されている。しかし、特許文献２には、複数の異なる映像を時分割で１つのディスプレイに表示した際のリモコンの操作方法は開示されていない。
【０００５】
そこで、本発明は、複数の映像を時分割表示することにより複数の視聴者が同時視聴可能な映像表示システムにおいて、各視聴者が自分の視聴している映像に関するコマンドをリモコンにより容易に入力できるようにすることを目的とする。
【課題を解決するための手段】
【０００６】
本発明は、Ｎ個（Ｎは２以上の整数）の映像を時分割表示する表示装置と、
前記映像の各々に対応するＮ種類のシャッター装置であって、対応する映像が前記表示装置に表示されている期間のみ光を透過する開状態となり、それ以外の期間は光を遮断する閉状態となるシャッター装置と、
前記表示装置に所定のコマンドを入力可能なリモコン装置と、
を有し、複数の観察者がそれぞれ前記各シャッター装置を介して前記表示装置に表示される映像を観察することにより該シャッター装置に対応する映像を各観察者が同時に観察することができる映像表示システムであって、
前記リモコン装置は、
前記映像の各々に対応するＮ個の動作モードに切り替え可能であり、ｎ番目（ｎは１
、２、・・・Ｎ）の動作モードではｎ番目の映像に関するコマンドを入力可能であり、
前記動作モードの各々に対応するＮ個の標識により識別可能なＮ個のボタンを有し、ｎ番目の標識により識別されるボタンを操作することにより前記リモコン装置をｎ番目の動作モードに切り替え可能であり、
前記表示装置は、
前記Ｎ個の標識に対応するＮ個の標識を表示する表示部を有し、
前記表示部は、ｎ番目の映像が前記表示装置に表示されている期間に、ｎ番目の標識のみを表示することにより、前記表示装置におけるＮ個の映像の時分割表示に同期して前記Ｎ個の標識を時分割表示することを特徴とする映像表示システムである。
【０００７】
本発明は、Ｎ個（Ｎは２以上の整数）の映像を時分割表示する表示装置であって、前記映像の各々に対応するＮ個の標識を表示する表示部を有する表示装置と、
前記映像の各々に対応するＮ種類のシャッター装置であって、対応する映像が前記表示装置に表示されている期間のみ光を透過する開状態となり、それ以外の期間は光を遮断する閉状態となるシャッター装置と、
前記映像の各々に対応するＮ個の動作モードに切り替え可能であり、ｎ番目（ｎは１、２、・・・Ｎ）の動作モードではｎ番目の映像に関するコマンドを入力可能なリモコン装置であって、前記Ｎ個の標識に対応するＮ個の標識により識別可能なＮ個のボタンを有するリモコン装置と、
を有し、複数の観察者がそれぞれ前記各シャッター装置を介して前記表示装置に表示される映像を観察することにより該シャッター装置に対応する映像を各観察者が同時に観察することができる映像表示システムの制御方法であって、
前記表示部に、ｎ番目の映像が前記表示装置に表示されている期間に、ｎ番目の標識のみを表示させることにより、前記表示装置におけるＮ個の映像の時分割表示に同期して前記Ｎ個の標識を時分割表示させるステップと、
前記Ｎ個のボタンのいずれかのボタンが操作された場合に、該ボタンを識別する標識に対応する映像に関するコマンドを入力可能な動作モードに前記リモコン装置を切り替えるステップと、
を有することを特徴とする映像表示システムの制御方法である。
【発明の効果】
【０００８】
本発明によれば、複数の映像を時分割表示することにより複数の視聴者が同時視聴可能な映像表示システムにおいて、各視聴者が自分の視聴している映像に関するコマンドをリモコンにより容易に入力できるようになる。
【図面の簡単な説明】
【０００９】
【図１】実施例１及び２の映像表示システムの構成を示すブロック図
【図２】実施例１及び２の映像表示システムの動作を示すタイミングチャート
【図３】実施例１及び２のリモコンの外観例
【図４】実施例１及び２の映像表示システムの動作を示すタイミングチャート
【図５】実施例１及び２のチャンネル切り替え時の動作を示すフローチャート
【図６】実施例２の描画部により識別情報を描画した際の描画例
【発明を実施するための形態】
【００１０】
（実施例１）
以下、添付図面を参照して、本発明の例示的な実施形態について詳細に説明する。図１は、本発明を適用する映像表示システムの一例としてのテレビ装置（デジタルテレビジョン受信機）の構成を示すブロック図である。図１に示すように、本実施形態に係る映像表示システムは、テレビ本体部１００、４個のシャッター部１５１〜１５４及び１個のリモコン１８０を含んで構成される。
テレビ本体部１００はＮ個（Ｎ＝４）の映像を時分割表示する表示装置である。本実施例ではテレビ放送を受信するチューナを４系統独立に備えており（チューナ１１１〜１１４）、各チューナから出力される映像が本発明における各映像に相当し、各チューナから出力される映像が映像表示部１２４に時分割表示される。時分割表示する映像数は２以上の整数であれば４に限らない。
４個のシャッター部１５１〜１５４は、各映像（各チューナから出力される映像）に対応するＮ種類（Ｎ＝４）のシャッター装置である。各シャッター部は、対応する映像（対応するチューナから出力される映像）が映像表示部１２４に表示されている期間のみ光を透過する開状態となり、それ以外の期間は光を遮断する閉状態となる。この構成により、複数の観察者が各シャッター部を介して映像表示部１２４に表示される時分割された映像を観察することにより、各シャッター部に対応する映像を各観察者が同時に観察することが可能な複数人同時視聴システムが実現される。例えば、第１のシャッター部１５１を介して映像表示部１２４を見るユーザには第１のチューナ１１１から出力される映像のみが見え、第２のシャッター部１５２を介して映像表示部１２４を見るユーザには第２のチューナ１１２から出力される映像のみが見える。
リモコン１８０は、４個の映像（４個のチューナから出力される映像）の各々に対応する４個の動作モードに切り替え可能である。ｎ番目（ｎは１、２、・・・Ｎ。Ｎ＝４）の動作モードではｎ番目の映像（ｎ番目のチューナから出力される映像）に関するコマンドを入力可能である。例えば、リモコン１８０が第１の動作モードに切り替えられている場合、リモコン１８０は第１のチューナ１１１から出力される映像を制御するコマンド（選局チャンネル切り替え、ボリューム調整、画質調整など）を入力可能である。この場合、リモコン１８０に対して行われた操作は、第２〜４のチューナ１１２〜１１４から出力される映像には影響しない。
リモコン１８０は、４個の動作モードの各々に対応する４個の標識により識別可能な４個のボタンを有し、ｎ番目（ｎは１、２、３、４）の標識により識別されるボタンを操作することによりリモコン１８０をｎ番目の動作モードに切り替え可能である。ｎ番目の動作モードでは、上記のようにｎ番目の映像（ｎ番目のチューナから出力される映像）についての制御コマンドを入力可能である。従って、４個の標識の各々と４個の映像（４個のチューナ）の各々とは関連付けられている。後述するように、本実施例では４個の標識は４色の色である。すなわち、リモコン１８０には４色の色（赤、緑、青、黄）により識別可能な４個のカラーボタン（識別情報指定部１８２）が備わる。「赤」は第１の標識であり、リモコン１８０を第１の動作モード（第１のチューナ１１１から出力される映像についての制御コマンドを入力可能な動作モード）に切り替えるためのボタンを識別する標識である。他の色についても同様に、第２の標識「緑」は第２のチューナ１１２に対応し、第３の標識「青」は第３のチューナ１１３に対応し、第４の標識「黄」は第４のチューナ１１４に対応する。
テレビ本体部１００は、４個の映像の時分割表示に同期して４個の標識を時分割表示する表示部を有する。上記のように４個の標識は本実施例では４色の色であり、４色の色を時分割表示する表示部として、本実施例のテレビ本体部１００は標識の色と同じ色で発光する４個の発光部（ＬＥＤ、識別情報表示部１２５）を備える。ｎ番目の色と同じ色で発光するｎ番目のＬＥＤは、ｎ番目の映像（ｎ番目のチューナから出力される映像）が映像表示部１２４に表示されている期間のみ発光し、それ以外の期間は消灯する。これにより、ｎ番目のシャッター部を介してテレビ本体部１００の４個のＬＥＤ（識別情報表示部１２５）を見る観察者には、ｎ番目の動作モードに切り替えるためのボタンを識別するための色の発光しか見えない。例えば、第１のシャッター部１５１を介してテレビ本体部１００を見る観察者は、第１の標識である「赤」の発光しか見えない。この観察者は、リモコン１８０に備わる４個のカラーボタン（識別情報指定部１８２）のうち、見えている標識（赤色の発光）により識別可能なボタン（赤ボタン）が、リモコン１８０を第１の動作モードに切り替えるためのボタンであると判断できる。そして、赤ボタンを押してリモコン１８０を第１の動作モードに切り替えることにより、第１のチューナ１１１から出力され
る映像に関するコマンドを入力可能になる。
以上の構成により、１個のリモコンを用いて、各視聴者が自分の視聴している映像に関するコマンドを容易に入力することが可能な複数人同時視聴映像表示システムが実現される。以下詳細に説明する。
【００１１】
＜テレビ本体部＞
最初にテレビ本体部１００の構成を説明する。テレビ本体部１００は、アンテナ１０１、チューナ１１１、チューナ１１２、チューナ１１３、チューナ１１４、受光部１２１、ＣＰＵ１２２、合成部１２３、映像表示部１２４、識別情報表示部１２５及びシャッター制御部１２６を含んで構成される。
放送局が送信する電波はアンテナ１０１で受信された後、チューナ１１１、チューナ１１２、チューナ１１３、チューナ１１４にそれぞれ入力される。チューナ１１１は、アンテナ１０１が受信した電波の中からユーザが選択したチャンネルに対応する周波数の電波を抽出する。チューナ１１１は、抽出した電波をＴＳ（Ｔｒａｎｓｐｏｒｔ  Ｓｔｒｅａｍ）信号に復調する。ＴＳ信号は、所定のサイズに分割された映像信号、音声信号、番組情報データなどの付随情報の集まりである。チューナ１１１は、復調したＴＳ信号を映像信号と音声信号と付随情報に分離する。以下、音声信号及び付随情報の処理については説明を省略する。
続いてチューナ１１１は、ＴＳ信号から分離した映像信号をデコードし合成部１２３に出力する。チューナ１１２、チューナ１１３及びチューナ１１４もそれぞれチューナ１１１と同様の処理を行い、映像信号を合成部１２３に出力する。なお、チューナ１１１、チューナ１１２、チューナ１１３及びチューナ１１４の各チューナは、ＴＳ信号に含まれる映像信号のうちそれぞれ異なる映像信号を合成部１２３に出力することができる。
受光部１２１は、ユーザがリモコン１８０で指定した識別情報及び操作情報を例えば赤外線通信などの通信手段で受信し、受信した操作情報及び識別情報をＣＰＵ１２２に出力する。なお、操作情報及び識別情報の詳細は後述する。
ＣＰＵ１２２は、図示しない不揮発記憶装置に記憶された制御プログラムを実行することにより、各部の制御を行う制御部である。ＣＰＵ１２２は、識別情報及び操作情報に基づき各チューナの選局制御を行う。また、ＣＰＵ１２２は、後述する識別情報表示部１２５、シャッター制御部１２６を制御する。
合成部１２３は、チューナ１１１、チューナ１１２、チューナ１１３及びチューナ１１４が出力する４つの映像信号を時分割する。図２（Ａ）は、合成部１２３の動作を示すタイミングチャートである。図２（Ａ）において、チューナ１１１が出力する映像信号をＡ、チューナ１１２が出力する映像信号をＢ、チューナ１１３が出力する映像信号をＣ、チューナ１１４が出力する映像信号をＤとする。合成部１２３が出力する映像信号は、所定の周期でＡ→Ｂ→Ｃ→Ｄの順番に繰り返された映像信号となる。例えば、各映像のフレームレートが６０Ｈｚになるように合成部１２３がＡ→Ｂ→Ｃ→Ｄの順番で映像信号を時分割して出力すると、合成部１２３が出力する映像信号のフレームレートは２４０Ｈｚとなる。
映像表示部１２４は、例えば、液晶ディスプレイやプラズマディスプレイである。映像表示部１２４は、合成部１２３が時分割した映像信号を表示する。そのため、映像表示部１２４には、複数の映像が時分割で表示される。
識別情報表示部１２５は、赤・緑・青・黄の４つの色で発光するＬＥＤ（Ｌｉｇｈｔ  Ｅｍｉｔｔｉｎｇ  Ｄｉｏｄｅ）（不図示）を含んで構成されている。４つのＬＥＤは例えばテレビ本体部１００の視聴者から見える場所、例えばディスプレイの枠に設けられる。識別情報表示部１２５は、ＣＰＵ１２２よって点灯するＬＥＤが選択される。図２（Ｂ）は、ＣＰＵ１２２による識別情報表示部１２５の制御を示すタイミングチャートである。図２（Ｂ）において、合成部１２３が出力する映像信号は、チューナ１１１の出力映像信号であるＡ、チューナ１１２の出力映像信号であるＢ、チューナ１１３の出力映像信号であるＣ、チューナ１１４の出力映像信号であるＤが所定の周期で繰り返された信号であ
る。ＣＰＵ１２２は、合成部１２３の出力映像信号がＡの期間は赤色のＬＥＤが点灯するように識別情報表示部１２５を制御する。また、合成部１２３の出力映像信号がＢの期間は緑色のＬＥＤが点灯するように識別情報表示部１２５を制御する。また、合成部１２３の出力映像信号がＣの期間は青色のＬＥＤが点灯するように識別情報表示部１２５を制御する。また、合成部１２３の出力映像信号がＤの期間は黄色のＬＥＤが点灯するように識別情報表示部１２５を制御する。その結果、映像表示部１２４が時分割で表示する映像に同期して点灯するＬＥＤが切り替わり、映像の時分割表示に対応してＬＥＤの色が時分割で変化することになる。なお、識別情報表示部１２５はＬＥＤに限ったものではなく、他の発光素子又は液晶やＥＬ（Ｅｌｅｃｔｒｏ−Ｌｕｍｉｎｅｓｃｅｎｃｅ）などのディスプレイなどであっても良い。
シャッター制御部１２６は、ＣＰＵ１２２が出力するシャッター制御信号を通信手段を介してシャッター部１５１、シャッター部１５２、シャッター部１５３及びシャッター部１５４に送信する。シャッター制御信号は、４つのシャッター部のうち開状態にするシャッター部を選択する信号である。
なお、図１において破線で示した構成要素（描画部２０１）は実施例２に係る映像表示システムの構成要素であり、本実施例の映像表示システムとは無関係である。
【００１２】
＜シャッター部＞
続いてシャッター部の構成を説明する。本実施形態は、シャッター部１５１、シャッター部１５２、シャッター部１５３及びシャッター部１５４の４個のシャッター部を備える。各シャッター部は、例えば、ユーザが使用するメガネに設けられる液晶シャッターである。シャッター部を閉じると光を遮断し、シャッター部を開くと光が透過する。そのため、メガネをかけたユーザは、シャッター部が開状態のときに映像表示部１２４に表示されている映像を見ることができるが、シャッター部が閉状態の時に映像表示部１２４に表示されている映像を見ることはできない。シャッター部の開閉は、シャッター制御部１２６から通信手段を介して送られるシャッター制御信号により制御される。
【００１３】
図２（Ｃ）は、シャッター制御部１２６と各シャッター部の動作を示すタイミングチャートである。図２（Ｃ）において、合成部１２３が出力する映像信号は、所定の周期でＡ→Ｂ→Ｃ→Ｄの順番に繰り返されている。ＣＰＵ１２２は、合成部１２３の出力映像信号がＡの期間はシャッター部１５１を開状態にするシャッター制御信号（図２（Ｃ）では“１５１”で示す）をシャッター制御部１２６に出力する。同様に、合成部１２３の出力映像信号がＢの期間はシャッター部１５２を開状態にするシャッター制御信号（同“１５２”）をシャッター制御部１２６に出力する。合成部１２３の出力映像信号がＣの期間はシャッター部１５３を開状態にするシャッター制御信号（同“１５３”）をシャッター制御部１２６に出力する。合成部１２３の出力映像信号がＤの期間はシャッター部１５４を開状態にするシャッター制御信号（同“１５４”）をシャッター制御部１２６に出力する。シャッター制御部１２６は、例えば赤外線や無線ネットワークなどの通信方法によってシャッター制御信号をシャッター部１５１、シャッター部１５２、シャッター部１５３及びシャッター部１５４に送信する。各シャッター部は、受信したシャッター制御信号に応じて開閉する。例えば、シャッター制御信号が“１５１”の期間は、シャッター部１５１が開状態となる。シャッター制御信号が“１５１”である期間に映像表示部１２４が表示している映像はＡなので、シャッター部１５１が設けられたメガネをかけたユーザが映像表示部１２４を見ると、Ａの映像のみが見える。このとき、シャッター部１５２、シャッター部１５３及びシャッター部１５４は閉状態となるため、映像Ａは、シャッター部１５２、シャッター部１５３又はシャッター部１５４が設けられたメガネをかけたユーザには見えない。
【００１４】
＜リモコン＞
続いてリモコン１８０の構成を説明する。リモコン１８０は、操作部１８１、識別情報
指定部１８２及び送信部１８３を含んで構成される。リモコン１８０の外観の例を図３に示す。操作部１８１は、ユーザが視聴中の映像に関するコマンドを入力するための操作を行うことができる操作ボタンである。図３に示す例では、操作部１８１は“１”〜“９”の数字（チャンネル）ボタンである。操作部１８１は、ユーザが操作ボタンを押下すると、押下した操作ボタンを示す情報（数字の情報）である操作情報を出力する。識別情報指定部１８２は、ユーザが識別情報を指定するためのボタンである。図３に示す例では、識別情報指定部１８２は赤・緑・青・黄のカラーボタンである。識別情報指定部１８２は、ユーザがカラーボタンを押下すると、押下したカラーボタンを示す情報（色の情報）を出力する。本実施例では、この押下されたカラーボタンを識別するための標識（色）の情報が識別情報である。送信部１８３は、操作部１８１が出力する操作情報と識別情報指定部１８２が出力する識別情報を例えば赤外線通信などの通信手段でテレビ本体部１００の受光部１２１に送信する。なお、本実施形態においては、リモコンは１個であるとして説明する。
【００１５】
＜動作例の説明＞
続いて、シャッター部１５１が設けられたメガネをかけたユーザが、リモコン１８０を用いて、自分の視聴している映像に関するコマンドとして「チャンネル切り替え」を入力する状況を例に、システムの動作例を説明する。
図４（Ａ）は、チャンネル切り替え前の各部の動作状態を示すタイミングチャートである。図４（Ａ）に示す例では、チューナ１１１は“１ＣＨ”、チューナ１１２は“７ＣＨ”、チューナ１１３は“５ＣＨ”、チューナ１１４は“２ＣＨ”をそれぞれ選局している。合成部１２３は、各チューナが出力する映像信号を時分割で合成し、“１ＣＨ”→“７ＣＨ”→“５ＣＨ”→“２ＣＨ”の順番で映像信号を繰り返し出力する。映像表示部１２４は、合成部１２３が出力する映像信号を表示している。識別情報表示部１２５は、合成部１２３が出力する映像信号が“１ＣＨ”の期間は赤色、“７ＣＨ”の期間は緑色、“５ＣＨ”の期間は青色、“２ＣＨ”の期間は黄色のＬＥＤを点灯している。シャッター制御信号は、映像表示部１２４が“１ＣＨ”を表示している期間に“１５１”となる。また、映像表示部１２４が“７ＣＨ”を表示している期間には“１５２”となる。また、映像表示部１２４が“５ＣＨ”を表示している期間には“１５３”となる。また、映像表示部１２４が“２ＣＨ”を表示している期間には“１５４”となる。シャッター部１５１は、シャッター制御信号が“１５１”の期間に開状態になり、シャッター制御信号がそれ以外の期間は閉状態になる。また、シャッター部１５２は、シャッター制御信号が“１５２”の期間に開状態になり、シャッター制御信号がそれ以外の期間は閉状態になる。図示していないが、シャッター部１５３及びシャッター部１５４の動作も同様である。なお、本図は実施例２において本実施例のＬＥＤの色の代わりに映像に重畳させたＧＵＩの色により標識の表示を行う場合のタイミングチャートを説明する際にも参照する。
図４（Ａ）に示す状態では、シャッター部１５１が設けられたメガネをかけたユーザが映像表示部１２４を見ると、シャッター制御信号が“１５１”の期間に映像表示部１２４に表示されている“１ＣＨ”の映像が見える。また、シャッター部１５１が設けられたメガネをかけたユーザが識別情報表示部１２５を見るとシャッター制御信号が“１５１”の期間に点灯している赤色のＬＥＤが見える。また、シャッター部１５２が設けられたメガネをかけたユーザが映像表示部１２４を見るとシャッター制御信号が“１５２”の期間に映像表示部１２４に表示されている“７ＣＨ”の映像が見える。また、シャッター部１５２が設けられたメガネをかけたユーザが識別情報表示部１２５を見るとシャッター制御信号が“１５２”の期間に点灯している緑色のＬＥＤが見える。シャッター部１５３が設けられたメガネをかけたユーザ及びシャッター部１５４が設けられたメガネをかけたユーザについても同様である。
【００１６】
図５（Ａ）は、上記図４（Ａ）に示す状態からシャッター部１５１が設けられたメガネをかけたユーザがリモコン１８０を操作して視聴チャンネルを“１ＣＨ”から“３ＣＨ”
に切り替える際のシステムの動作を示すフローチャートである。
ステップ１１において、ユーザはチャンネル切り替え操作を行う前にテレビ本体部１００の識別情報表示部１２５に点灯しているＬＥＤの色と同じ色のリモコン１８０のカラーボタンを押す。図４（Ａ）に示す状態ではシャッター部１５１が設けられたメガネをかけたユーザには赤色のＬＥＤが点灯しているのが見える。従って、このユーザは見えるＬＥＤの色と同じ色である赤色のカラーボタンを押下する。ユーザがリモコン１８０の赤色のカラーボタンを押下すると、ステップ１２において、リモコン１８０は送信部１８３から“赤”という識別情報をテレビ本体部１００の受光部１２１に送信する。これにより、ＣＰＵ１２２は、以後受光部１２１から入力されるリモコン信号を、チューナ１１１から出力される映像信号に関するコマンドとして処理する。
ステップ１３において、ユーザはチャンネルを“３ＣＨ”に切り替えるためリモコン１８０の“３”のチャンネルボタンを押下する。ユーザがリモコン１８０の“３”のチャンネルボタンを押下すると、ステップ１４において、リモコン１８０はユーザの操作に応じて送信部１８３から“３ＣＨ”という操作情報をテレビ本体部１００の受光部１２１に送信する。
テレビ本体部１００のＣＰＵ１２２は、受光部１２１を通じてリモコン１８０から送信された識別情報及び操作情報を受信する。ＣＰＵ１２２は、受信した識別情報からユーザの入力したコマンドの対象となっている映像を判断する。ステップ１２でリモコン１８０が送信した識別情報は“赤”であり、ステップ１４でリモコン１８０が送信した操作情報は“３ＣＨ”である。そのため、ＣＰＵ１２２は、識別情報として“赤”、操作情報として“３ＣＨ”を受光部１２１を介して受信する。図４（Ａ）に示すように、赤色のＬＥＤを点灯している期間に映像表示部１２４に表示している映像信号はチューナ１１１から出力されている“１ＣＨ”の映像である。そのため、ＣＰＵ１２２は、“１ＣＨ”の映像が入力されたコマンドの対象となっていると判断する（ステップ１５）。
ステップ１５で判断したコマンド対象である“１ＣＨ”の映像信号を出力しているのは、チューナ１１１である。ステップ１６において、ＣＰＵ１２２は、チューナ１１１を制御し“３ＣＨ”を選局する。
【００１７】
図４（Ｂ）は、チューナ１１１の選局チャンネルが“３ＣＨ”に切り替わった後の各部の動作状態を示すタイミングチャートである。チューナ１１１の出力する映像信号は“３ＣＨ”になっている。そのため、合成部１２３は“３ＣＨ”→“７ＣＨ”→“５ＣＨ”→“２ＣＨ”の順番の映像信号を繰り返し出力する。図４（Ａ）に示すチャンネル切り替え前の動作状態では、シャッター部１５１が開状態である時に映像表示部１２４に表示されている映像は“１ＣＨ”であった。図４（Ｂ）ではシャッター部１５１が開状態である時には映像表示部１２４に“３ＣＨ”が表示される。そのため、シャッター部１５１が設けられたメガネをかけて視聴しているユーザには“３ＣＨ”が見えるようになる。
なお、シャッター部１５２、シャッター部１５３又はシャッター部１５４が設けられたメガネをかけて視聴しているユーザが見ている映像は、図４（Ａ）に示すチャンネル切り替え前と図４（Ｂ）に示すチャンネル切り替え後では変化していない。
【００１８】
次に、シャッター部１５２が設けられたメガネをかけたユーザが視聴しているチャンネルを切り替える際の動作例を説明する。
図５（Ｂ）は、上記図４（Ｂ）に示す状態からシャッター部１５２が設けられたメガネをかけたユーザが同一のリモコン１８０を操作して視聴チャンネルを“７ＣＨ”から“４ＣＨ”に切り替える際のシステムの動作を示すフローチャートである。
ステップ２１において、ユーザはチャンネル切り替え操作を行う前にテレビ本体部１００の識別情報表示部１２５に点灯しているＬＥＤの色と同じ色のリモコン１８０のカラーボタンを押す。図４（Ｂ）に示す状態ではシャッター部１５２が設けられたメガネをかけたユーザには緑色のＬＥＤが点灯しているのが見える。従って、このユーザは見えるＬＥＤの色と同じ色である緑色のカラーボタンを押下する。ユーザがリモコン１８０の緑色の
カラーボタンを押下すると、ステップ２２において、リモコン１８０は送信部１８３から“緑”という識別情報をテレビ本体部１００の受光部１２１に送信する。これにより、ＣＰＵ１２２は、以降受光部１２１から入力されるリモコン信号を、チューナ１１２から出力される映像信号に関するコマンドとして処理する。
ステップ２３において、ユーザはチャンネルを“４ＣＨ”に切り替えるためリモコン１８０の“４”のチャンネルボタンを押下する。ユーザがリモコン１８０の“４”のチャンネルボタンを押下すると、ステップ２４において、リモコン１８０はユーザの操作に応じて送信部１８３から“４ＣＨ”という操作情報をテレビ本体部１００の受光部１２１に送信する。
テレビ本体部１００のＣＰＵ１２２は、受光部１２１を通じてリモコン１８０から送信された識別情報及び操作情報を受信する。ＣＰＵ１２２は、受信した識別情報からユーザの入力したコマンドの対象となっている映像（チューナ）を判断する。ステップ２２でリモコン１８０が送信した識別情報は“緑”であり、ステップ２４でリモコン１８０が送信した操作情報は“４ＣＨ”である。そのため、ＣＰＵ１２２は識別情報として“緑”、操作情報として“４ＣＨ”を受光部１２１を介して受信する。図４（Ｂ）に示すように、緑色のＬＥＤを点灯している期間に映像表示部１２４に表示している映像信号はチューナ１１２から出力されている“７ＣＨ”の映像である。そのため、ＣＰＵ１２２は、“７ＣＨ”の映像が入力されたコマンドの対象となっていると判断する（ステップ２５）。
ステップ２５で判断したコマンド対象である“７ＣＨ”の映像信号を出力しているのは、チューナ１１２である。ステップ２６において、ＣＰＵ１２２は、チューナ１１２を制御し“４ＣＨ”を選局する。
【００１９】
図４（Ｃ）は、チューナ１１２の選局チャンネルが“４ＣＨ”に切り替わった後の各部の動作状態を示すタイミングチャートである。チューナ１１２の出力する映像信号は“４ＣＨ”になっている。そのため、合成部１２３は“３ＣＨ”→“４ＣＨ”→“５ＣＨ”→“２ＣＨ”の順番の映像信号を繰り返し出力する。図４（Ｂ）に示すチャンネル切り替え前の動作状態では、シャッター部１５２が開状態である時に映像表示部１２４に表示している映像は“７ＣＨ”であった。図４（Ｃ）ではシャッター部１５２が開状態である時には映像表示部１２４に“４ＣＨ”が表示される。そのため、シャッター部１５２が設けられたメガネをかけて視聴しているユーザには“４ＣＨ”が見えるようになる。
なお、シャッター部１５１、シャッター部１５３又はシャッター部１５４が設けられたメガネをかけて視聴しているユーザが見ている映像は、図４（Ｂ）に示すチャンネル切り替え前と図４（Ｃ）に示すチャンネル切り替え後では変化していない。
【００２０】
以上説明したように本実施例に係る映像表示システムによれば、１個のリモコンで複数のユーザが各自の視聴している映像に関するコマンドを入力することができる。従って、同時視聴可能な映像の数に応じた数の複数のリモコンを用意する必要がない。そして、各ユーザは自分の装着しているメガネを通して見える識別情報表示部１２５のＬＥＤの色（識別情報）に応じたリモコン１８０のカラーボタンを押せば、リモコン１８０を自分の視聴している映像に関するコマンドを入力可能な状態にすることができる。そのため、各ユーザは自分の視聴している映像に関するコマンドを入力するために操作すべきリモコンを探す必要がない。よって、各ユーザが自分の視聴している映像に関するコマンドを入力するためのリモコンを識別する手間を軽減することができる。なお、本実施例ではリモコンが１個の場合を例に説明した。しかしながら、リモコンが複数ある場合であっても、ユーザは、自分に見えているＬＥＤの色に対応するカラーボタンを押せば、そのリモコンを使って、自分の視聴している映像に関するコマンドを入力可能な動作モードに切り替えることができる。従って、リモコンが複数ある場合であっても、ユーザはその中から自分が操作すべきリモコンを識別する必要がそもそも無いので、本実施例と同様、リモコンを識別する手間を軽減する効果を奏することになる。
【００２１】
なお、本実施例は、リモコン１８０の動作モードを切り替えるためのボタンを識別するための標識として色を使用し、標識を表示する手段としてボタンの色と同じ色のＬＥＤの発光を利用した例であるが、標識や標識の表示手段はこれに限らない。例えば、動作モードを切り替えるためのボタンを数字、文字、記号、図形等の標識により識別可能に構成し、当該標識を表示する液晶やＥＬのディスプレイをテレビ本体部１００のユーザから見える位置に設けて識別情報表示部１２５を構成しても良い。また、標識として色を用いる場合の標識の表示方法（識別情報表示部１２５の構成）は、ボタンの色と同じ色の画像又は同じ色を表す文字、記号若しくは図形を映像表示部１２４に表示される映像に合成したりＯＳＤで重畳したりする構成でも良い。これについては実施例２で説明する。
また、本実施例では、図３に示したようにリモコン１８０の識別情報指定部１８２と操作部１８１を別々に設けているが、識別情報を指定する際に操作部１８１の一部を識別情報の指定に使用するようにしても良い。例えば、テレビ本体部１００の識別情報表示部１２５に数字を表示して、操作部１８１のチャンネルボタン１〜９を、識別情報である数字の指定と選局時におけるチャンネルの指定の両方に使用するようにしても良い。
また、本実施例では、最初に識別情報を指定した後にチャンネルを指定してチャンネル切り替え操作を行う例を説明したが、最初にチャンネルを指定した後に識別情報を指定することによりチャンネル切り替えを行うようにしても良い。
【００２２】
（実施例２）
次に本発明の第２の実施例を説明する。本実施例に係る映像表示システムは、実施例１の識別情報表示部１２５の代わりに、映像信号を表示する映像表示部１２４に識別情報を表示するものである。本実施例は、リモコン１８０の動作モードを切り替えるための４個のボタンを４色の色を標識として識別可能に構成した点は実施例１と同様である。本実施例では、映像表示部１２４における４個の映像の時分割表示に同期して４個の標識（色）を時分割表示する表示部として、標識の色と同じ色の画像を映像に合成する画像処理部（描画部２０１）を用いる。ｎ番目の色と同じ色の画像が、ｎ番目の映像（ｎ番目のチューナから出力される映像）が映像表示部１２４に表示されている期間のみ、当該ｎ番目の映像に合成され、それ以外の期間はいずれの映像にも合成されない。これにより、ｎ番目のシャッター部を介してテレビ本体部１００の映像表示部１２４を見る観察者には、ｎ番目の動作モードに切り替えるためのボタンを識別するための色の画像しか見えない。例えば、第１のシャッター部１５１を介してテレビ本体部１００を見る観察者は、第１の標識である「赤」の画像が映像表示部１２４に表示される映像の中に合成されて見える。この観察者は、リモコン１８０に備わる４個のカラーボタンのうち、見えている標識（赤色の画像）により識別可能なボタン（赤ボタン）が、リモコン１８０を第１の動作モードに切り替えるためのボタンであると判断できる。そして、赤ボタンを押してリモコン１８０を第１の動作モードに切り替えることにより、第１のチューナ１１１から出力される映像に関するコマンドを入力可能になる。以下、実施例１と異なる点を中心に説明する。
【００２３】
本実施例に係る映像表示システムの構成は、実施例１の映像表示システムの構成を示す図１のブロック図において、テレビ本体部の識別情報表示部１２５が無く、代わりに破線で示した描画部２０１を備えた構成である。テレビ本体部のその他の構成及びリモコン１８０及びシャッター部１５１〜１５４は実施例１と同様である。実施例１と同様の構成要素及び処理については説明を省略する。本実施例ではテレビ本体部の符号を２００とする。
ＣＰＵ１２２は、各チューナの選局制御、シャッター制御部１２６の制御を行うと共に識別情報の描画指示を描画部２０１に出力する。描画部２０１は、ＣＰＵ１２２が出力する識別情報に応じて、合成部１２３が出力する映像信号の上に重なるように識別情報（標識）を示すグラフィカルユーザインタフェース（画像）を描画する。
【００２４】
実施例１で参照した図２のタイミングチャートを用いて描画部２０１によるグラフィカ
ルユーザインタフェース（ＧＵＩ）の描画動作を説明する。但し、図２（Ｂ）の「ＬＥＤの色」のタイミングチャートは「ＧＵＩ」のタイミングチャートとして読み替える。実施例１で説明したように、合成部１２３が出力する映像信号は、Ａ→Ｂ→Ｃ→Ｄの順番に所定周期で繰り返される信号である。ＣＰＵ１２２は、この合成部１２３が出力する映像信号に同期して描画部２０１に識別情報を出力する。図２（Ｂ）の例では、識別情報はＧＵＩの色で表わされ、合成部１２３が出力する映像信号が“Ａ”の期間の識別情報は赤色である。また、合成部１２３が出力する映像信号が“Ｂ”の期間の識別情報は緑色である。また、合成部１２３が出力する映像信号が“Ｃ”の期間の識別情報は青色である。また、合成部１２３が出力する映像信号が“Ｄ”の期間の識別情報は黄色である。描画部２０１は、映像信号のフレームの右上部分にＣＰＵ１２２が出力する識別情報をグラフィカルユーザインタフェースとして描画する。すなわち、合成部１２３が出力する映像信号が“Ａ”の期間にはＣＰＵ１２２は識別情報“赤”を描画部２０１に出力する。そして、描画部２０１は図６（Ａ）に示すように映像信号“Ａ”の右上に赤色の四角形で識別情報を描画する。同様に合成部１２３が出力する映像信号が“Ｂ”の期間にはＣＰＵ１２２は識別情報“緑”を描画部２０１に出力する。そして、描画部２０１は図６（Ｂ）に示すように映像信号“Ｂ”の右上に緑色の四角形で識別情報を描画する。映像信号“Ｃ”及び“Ｄ”についても同様である。なお、図４（Ａ）ではＧＵＩの四角形内部に“赤”や“緑”といった文字を記載したが、これは図示の都合である。但し、このようにカラーボタンを識別するための標識の色と同じ色の四角形を描画する代わりに、標識の色と同じ色を表す文字、記号若しくは図形を描画することにより標識の表示としても良い。
【００２５】
＜動作例の説明＞
続いて、シャッター部１５１が設けられたメガネをかけたユーザが、リモコン１８０を用いて、自分の視聴している映像に関するコマンドとして「チャンネル切り替え」を入力する状況を例に、システムの動作例を説明する。
実施例１で参照した図４（Ａ）のタイミングチャートを用いて、本実施例においてチャンネルを切り替える前の各部の動作状態を説明する。但し、図４（Ａ）の「ＬＥＤの色」のタイミングチャートは「ＧＵＩ」のタイミングチャートに読み替える。描画部２０１は、合成部１２３が出力する映像信号が“１ＣＨ”の期間は赤色、“７ＣＨ”の期間は緑色、“５ＣＨ”の期間は青色、“２ＣＨ”の期間は黄色のＧＵＩを識別情報としてそれぞれの映像信号のフレームの右上部分に描画している。シャッター部１５１が設けられたメガネをかけたユーザが映像表示部１２４を見るとシャッター制御信号が“１５１”の期間に映像表示部１２４に表示されている“１ＣＨ”の映像が見える。さらに、当該“１ＣＨ”の映像のフレームの右上部分には識別情報として赤色の四角形のＧＵＩが見える。
【００２６】
実施例１で参照した図５（Ａ）のフローチャートを用いて、図４（Ａ）に示す状態からシャッター部１５１が設けられたメガネをかけたユーザがリモコン１８０を操作して視聴チャンネルを“１ＣＨ”から“３ＣＨ”に切り替える際のシステムの動作を説明する。実施例１で説明した処理と同じ処理を行うステップについては説明を省略する。
ステップ１１において、シャッター部１５１が設けられたメガネをかけたユーザは、テレビ本体部２００の映像表示部１２４に表示される映像のフレームの右上部分に表示されているＧＵＩと同じ色である赤色のカラーボタンを押す。ステップ１２において、リモコン１８０は送信部１８３から識別情報として“赤”をテレビ本体部２００の受光部１２１に送信する。
ステップ１５において、テレビ本体部２００のＣＰＵ１２２は、識別情報“赤”及び操作情報“３ＣＨ”を受光部１２１を介して受信する。図４（Ａ）に示すように、赤色のＧＵＩを描画している期間に映像表示部１２４に表示している映像信号はチューナ１１１から出力されている“１ＣＨ”の映像である。そのため、ＣＰＵ１２２は、“１ＣＨ”の映像が入力されたコマンドの対象となっていると判断する。
チューナ１１１の選局チャンネルが“３ＣＨ”に切り替わった後の各部の動作状態は、
実施例１で説明した図４（Ｂ）のタイミングチャートで表される。但し、図４（Ｂ）の「ＬＥＤの色」のタイミングチャートは「ＧＵＩ」のタイミングチャートに読み替える。
【００２７】
以上説明したように本実施例に係る映像表示システムによれば、映像信号のフレームの一部に識別情報がＧＵＩとして表示されるので、識別情報を表示するための構成を別途備える必要がない。各ユーザは自分の装着しているメガネを通して見える映像に表示される識別情報を表すＧＵＩの色に応じたリモコン１８０のカラーボタンを押せば、リモコン１８０を自分の視聴している映像に関するコマンドを入力可能な動作モードに切り替えることができる。よって、実施例１と同様に、各ユーザは自分の視聴している映像に関するコマンドを入力するために操作すべきリモコンを探す必要がない。
【００２８】
なお、本実施例では、識別情報として４色の四角形のＧＵＩを映像に表示させる例を説明したが、識別情報として、例えば、数字、文字、記号や図形を映像に表示させても良い。
【符号の説明】
【００２９】
１００：テレビ本体部、１２４：映像表示部、１２５：識別情報表示部、１５１〜１５４：シャッター部、１８０：リモコン、１８２：識別情報指定部
【図１】
2011151458.tif 000003
【図２】
2011151458.tif 000004
【図３】
2011151458.tif 000005
【図４】
2011151458.tif 000006
【図５】
2011151458.tif 000007
【図６】
2011151458.tif 000008